(57)【要約】【課題】本発明は、採光フィルムの平坦性を保ちつつ表面を保護することが可能な採光装置を提供する。【解決手段】本発明の採光装置は、第１面と第２面とを有する採光フィルムと、第１面に対向して配置され、光透過性を有する第１保護シートと、第２面に対向して配置され、光透過性を有する第２保護シートと、第１保護シートの周縁部および第２保護シートの周縁部を支持するフレームと、を備え、採光フィルムの厚さをＬ１とし、採光フィルムの周縁部における第１保護シートと第２保護シートとの間の距離をＬ２としたとき、Ｌ２≧Ｌ１を満たし、前記採光フィルムは、前記第１保護シート及び前記第２保護シートに対して移動可能に配置される。【選択図】図２
2020017403.tif 000002
【特許請求の範囲】
【請求項１】
第１面と第２面とを有する採光フィルムと、
前記第１面に対向して配置され、光透過性を有する第１保護シートと、
前記第２面に対向して配置され、光透過性を有する第２保護シートと、
前記第１保護シートの周縁部および前記第２保護シートの周縁部を支持するフレームと、
を備え、
前記採光フィルムの厚さをＬ１とし、前記採光フィルムの周縁部における前記第１保護シートと前記第２保護シートとの間の距離をＬ２としたとき、Ｌ２≧Ｌ１を満たし、
前記採光フィルムは、前記第１保護シート及び前記第２保護シートに対して移動可能に配置される、採光装置。
【請求項２】
前記第１保護シートの周縁部と前記第２保護シートの周縁部との間の少なくとも一部に設けられ、前記第１保護シートと前記第２保護シートとの間の距離を保持する第１スペーサーをさらに備え、
前記第１スペーサーの厚さをＬ３としたとき、Ｌ３≧Ｌ１を満たす、請求項１に記載の採光装置。
【請求項３】
前記第１スペーサーは、前記フレームと一体の部材で構成されている、請求項２に記載の採光装置。
【請求項４】
前記第１スペーサーは、前記第１保護シートもしくは前記第２保護シートと一体の部材で構成されている、請求項２に記載の採光装置。
【請求項５】
前記第１面の法線方向から見て、前記採光フィルムの縁が前記フレームの内周縁よりも内側に位置している、請求項１に記載の採光装置。
【請求項６】
前記採光フィルムは、前記第１面に沿った方向に並べて配置された複数の単位フィルムからなり、
互いに隣り合う前記単位フィルムの間の間隙に設けられ、前記第１保護シートと前記第２保護シートとの間の距離を保持する第２スペーサーをさらに備えた、請求項１に記載の採光装置。
【請求項７】
前記フレームの開口領域に設けられ、前記第１保護シートおよび前記第２保護シートと前記採光フィルムとの位置を固定する固定部材をさらに備えた、請求項１に記載の採光装置。
【請求項８】
前記固定部材は、前記第１保護シートと前記第２保護シートとの間の距離を保持するスペーサー部と、前記スペーサー部の両端に設けられ、前記第１保護シートおよび前記第２保護シートの移動を規制する拡径部と、を有し、
前記第１保護シート、前記採光フィルムおよび前記第２保護シートのそれぞれに設けられた孔に前記固定部材が挿通された、請求項７に記載の採光装置。
【請求項９】
前記固定部材は、前記第１保護シートと前記採光フィルムの第１面、および前記第２保護シートと前記採光フィルムの第２面をそれぞれ固定する粘着材で構成される、請求項７に記載の採光装置。
【請求項１０】
請求項１に記載の採光装置を備えた、採光システム。
【発明の詳細な説明】
【技術分野】
【０００１】
本発明は、採光装置、採光システムに関するものである。
【背景技術】
【０００２】
建築物の窓等を通して太陽光を室内に採り込むための採光装置が、従来から知られている。採光装置は、例えば、一面側に微細構造からなる複数の採光部を有する採光フィルムと、採光フィルムの複数の採光部が形成された面とは反対側の面に貼り合わされた基材とが積層されており、薄い採光フィルムの平坦性が基材によって保たれた構成となっている。さらに、採光フィルムの微細構造が形成された面に保護シートを配置することで、採光フィルムが保護され、汚れや傷が付くのを防ぐことができる（例えば特許文献１）。
【０００３】
特に、両面に微細構造が形成された採光フィルムでは、採光フィルムを基材に貼り合わせることができないため、採光フィルムの両側に一対の保護シートを配置し、これらをフレームに収容することで採光フィルムの平坦性を維持しつつ、採光フィルムの表面を保護する構成が必要となる。
【先行技術文献】
【特許文献】
【０００４】
【特許文献１】特開２０１３−１５６５５４号公報
【発明の概要】
【発明が解決しようとする課題】
【０００５】
しかしながら、防水性を高めるために一対の保護シートおよび採光フィルムの周縁部分をフレームで押さえ込むと、保護シートの熱収縮率が採光フィルムよりも大きい場合、周囲の温度が低下すると、採光フィルムが保護シートの収縮に引き摺られるようにして歪が生じて、採光フィルムの全体にシワが生じてしまう。採光フィルムは、表面にプリズム構造が賦形されているため、わずかなシワでも強調されて外観に影響が出てしまう。
【０００６】
本発明の一つの態様は、上記従来技術の問題点に鑑み成されたものであって、採光フィルム表面を保護しつつシワの発生が抑えられた採光装置を提供することを目的とする。
【課題を解決するための手段】
【０００７】
本発明の一つの態様の採光装置は、第１面と第２面とを有する採光フィルムと、前記第１面に対向して配置され、光透過性を有する第１保護シートと、前記第２面に対向して配置され、光透過性を有する第２保護シートと、前記第１保護シートの周縁部および前記第２保護シートの周縁部を支持するフレームと、を備え、前記採光フィルムの厚さをＬ１とし、前記採光フィルムの周縁部における前記第１保護シートと前記第２保護シートとの間の距離をＬ２としたとき、Ｌ２≧Ｌ１を満たす構成とされている。
【０００８】
本発明の一つの態様の採光装置は、前記第１保護シートの周縁部と前記第２保護シートの周縁部との間の少なくとも一部に設けられ、前記第１保護シートと前記第２保護シートとの間の距離を保持する第１スペーサーをさらに備え、前記第１スペーサーの厚さをＬ３としたとき、Ｌ３≧Ｌ１を満たす構成としてもよい。
【０００９】
本発明の一つの態様の採光装置は、前記第１スペーサーは、前記フレームと一体の部材で構成されていてもよい。
【００１０】
本発明の一つの態様の採光装置は、前記第１スペーサーは、前記第１保護シートもしくは前記第２保護シートと一体の部材で構成されていてもよい。
【００１１】
本発明の一つの態様の採光装置は、前記第１面の法線方向から見て、前記採光フィルムの縁が前記フレームの内周縁よりも内側に位置している構成としてもよい。
【００１２】
本発明の一つの態様の採光装置は、前記採光フィルムは、前記第１面に沿った方向に並べて配置された複数の単位フィルムからなり、互いに隣り合う前記単位フィルムの間の間隙に設けられ、前記第１保護シートと前記第２保護シートとの間の距離を保持する第２スペーサーをさらに備えた構成としてもよい。
【００１３】
本発明の一つの態様の採光装置は、前記フレームの開口領域に設けられ、前記第１保護シートおよび前記第２保護シートと前記採光フィルムとの位置を固定する固定部材をさらに備えた構成としてもよい。
【００１４】
本発明の一つの態様の採光装置は、前記固定部材は、前記第１保護シートと前記第２保護シートとの間の距離を保持するスペーサー部と、前記スペーサー部の両端に設けられ、前記第１保護シートおよび前記第２保護シートの移動を規制する拡径部と、を有し、前記第１保護シート、前記採光フィルムおよび前記第２保護シートのそれぞれに設けられた孔に前記固定部材が挿通された構成としてもよい。
【００１５】
本発明の一つの態様の採光装置は、前記固定部材は、前記第１保護シートと前記採光フィルムの第１面、および前記第２保護シートと前記採光フィルムの第２面をそれぞれ固定する粘着材で構成される構成としてもよい。
【００１６】
本発明の一つの態様の採光システムは、上記の採光装置を備えている。
【発明の効果】
【００１７】
本発明の一つの態様によれば、採光フィルムの表面を保護しつつシワの発生が抑えられた採光装置を提供することができる。
【図面の簡単な説明】
【００１８】
【図１】窓に設置された状態の採光装置の外観を示す正面図であって、室内側（図２の矢印Ａで示す側）から見た図。
【図２】図１のＡ−Ａ’線に沿う断面図。
【図３】第１スペーサーの配置位置を示す正面図。
【図４】保護シートの間の距離と各部材の寸法関係を説明するための図。
【図５Ａ】第１スペーサーの形状例を示す断面図（楕円）。
【図５Ｂ】第１スペーサーの形状例を示す断面図（中空）。
【図５Ｃ】第１スペーサーの形状例を示す断面図（コ型）。
【図６Ａ】第１スペーサーの変形例を示す正面図。
【図６Ｂ】第１スペーサーの変形例を示す正面図。
【図６Ｃ】第１スペーサーの変形例を示す正面図。
【図７】第２実施形態の採光ユニットの構成を示す断面図。
【図８】第２実施形態の保護シートの間の距離と各部材の寸法関係を説明するための図。
【図９】第３実施形態の採光ユニットの構成を示す断面図。
【図１０】第３実施形態の保護シートの間の距離と各部材の寸法関係を説明するための図。
【図１１】第４実施形態の採光ユニットの構成を示す正面図。
【図１２】図１１のＢ−Ｂ’線に沿う断面図。
【図１３】第５実施形態の採光ユニットの構成を示す平面図。
【図１４】図１３のＣ−Ｃ’線に沿う断面図。
【図１５】採光ユニットの要部を部分的に拡大した断面図。
【図１６】第６実施形態の採光ユニットの構成を示す正面図。
【図１７】図１６のＤ−Ｄ’線に沿う断面図。
【図１８】採光ユニットの要部を部分的に拡大した断面図。
【図１９】粘着材の作用を説明するための図。
【図２０】第６実施形態の採光ユニットの構成を示す断面図。
【図２１】採光ユニットの要部を示す部分拡大断面図。
【図２２】第４実施形態の採光ユニットの変形例を示す正面図。
【図２３】採光装置の設置例を示す図。
【図２４】採光装置の設置例を示す図。
【図２５】採光装置の設置例を示す図。
【図２６】採光装置および照明調光システムを備えた部屋モデルを示す図。
【発明を実施するための形態】
【００１９】
以下、本発明に係る採光装置の実施の形態について図面を用いて述べる。
なお、以下の各図面においては、各構成要素を見やすくするため、構成要素によって寸法の縮尺を異ならせて示すことがある。
【００２０】
［第１実施形態］
まず、本発明の第１実施形態の採光装置について説明する。
図１は、窓に設置された状態の採光装置１の外観を示す正面図であって、室内側（図２の矢印Ａで示す側）から見た図である。図２は、図１のＡ−Ａ’線に沿う断面図である。図３は、第１スペーサー１４の配置位置を示す正面図である。図４は、保護シート１３Ａ，１３Ｂの間の距離Ｌ２と各部材の寸法関係を説明するための図である。図５Ａ〜図５Ｃは、第１スペーサー１４の形状例を示す断面図である。
【００２１】
図１および図２に示すように、採光装置１は、採光ユニット１０と、採光ユニット１０を窓枠１０９に取り付けるための一対の装着部１１，１１と、を備えている。
採光ユニット１０は、採光フィルム１２と、一対の保護シート１３Ａ，１３Ｂと、第１スペーサー１４と、フレーム１５と、を有する。
【００２２】
採光フィルム１２は、基部２と、基部２の第１面２ａに設けられた複数のプリズム構造体からなる採光部３と、各採光部３の間に設けられた複数の空隙部４と、基部２の第２面２ｂに設けられた光拡散部５と、を有している。本実施形態の採光フィルム１２は、両面に上記したような微細な構造が施されており、一方の面が光入射面（第１面）１２Ａ、他方の面が光射出面（第２面）１２Ｂとなる。採光フィルム１２は、光入射面１２Ａから入射した外光を複数の採光部３において反射および屈折させて、光拡散部５を介して光射出面１２Ｂから室内へ向けて出射させる。
【００２３】
複数の採光部３は、例えば各々が基部２の長手方向に延在し、かつ基部２の短手方向に並んで設けられている。図２に示すように、採光部３は、長手方向に垂直な断面形状が多角形状のプリズム構造体から構成されている。採光部３は、例えば、図２に示すような断面三角形状であってもよいし、五角形、六角形等であってもよい。
【００２４】
隣り合う採光部３の間の空隙部４（空間）には、空気が存在している。そのため、採光部３と空隙部４との界面は、樹脂と空気との界面である。空隙部４は、他の低屈折率材料によって充填されていてもよい。しかしながら、採光部３の内部と外部との界面の屈折率差は、外部にいかなる低屈折率材料が存在する場合よりも空気が存在する場合に最大となる。
【００２５】
光拡散部５は、基部２の第２面２ｂに設けられた凹凸構造、もしくはレンチキュラー構造等から構成されている。光拡散部５は、基部２を透過した光を等方的もしくは異方的に拡散させる機能を有する。光拡散部５は、樹脂内に多数の拡散ビーズや針状のフィラーが分散されたものであってもよい。
【００２６】
基部２と複数の採光部３と光拡散部５とは、紫外線（ＵＶ）硬化樹脂もしくは熱硬化樹脂から構成されている。具体的には、ＵＶ硬化樹脂の一例として、ウレタンアクリレート、アクリル樹脂アクリレート、エポキシアクリレート等が挙げられる。熱硬化樹脂の一例として、アミノ樹脂、ユリア樹脂、ポリウレタン、エポキシ樹脂、不飽和ポリエステル樹脂等が挙げられる。
【００２７】
また、上記の樹脂材料に、重合開始剤、カップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。
【００２８】
採光フィルム１２をＵＶ転写法により作製する場合、一般的には、基部２にポリエチレンテレフタレート（ＰＥＴ）フィルムが用いられる。基部２の各面２ａ，２ｂ上に塗布した光硬化性樹脂に金型を押し当てて所望の形状にＵＶ硬化させることにより、複数の採光部３あるいは光拡散部５を得ているため、図２に示すように、複数の採光部３、基部２、光拡散部５がそれぞれ別体となる。
【００２９】
一方、採光フィルム１２を熱転写法により作製する場合は、ポリカーボネート（ＰＣ）樹脂やポリエチレンテレフタレート（ＰＭＭＡ）樹脂を用いることが多い。この製法では、複数の採光部３、基部２および光拡散部５が、全て同じ材料で一体に形成されるため、採光部３と基部２と光拡散部５とに図２に示すような界面は存在しない。
【００３０】
ＵＶ転写法と熱転写法とでは、用いる樹脂材料の熱膨張率が異なる。具体的には、ＵＶ転写法で用いられるＰＥＴ樹脂の熱膨張率の方が、熱転写法で用いられるＰＣ樹脂，ＰＭＭＡ樹脂の熱膨張率よりも小さい。このことを鑑み、採光装置の設置場所や環境等に応じてどちらのタイプにするか選択することが望ましい。
【００３１】
一対の保護シート１３Ａ，１３Ｂは、採光フィルム１２よりも大きい面積を有する矩形板状の部材からなる。一対の保護シート１３Ａ，１３Ｂのうち、第１保護シート１３Ａは採光フィルム１２の光入射面１２Ａに対向し、第２保護シート１３Ｂは採光フィルム１２の光射出面１２Ｂに対向しており、採光フィルム１２の両面を挟むように配置されている。なお、以下の説明において第１保護シート１３Ａおよび第２保護シート１３Ｂを区別しないときは、単に保護シート１３と称する。
【００３２】
保護シート１３は、光透過性を有する部材からなる。保護シート１３の材質や厚みは、光透過性を有していれば特に制限はなく、例えばポリカーボネート（ＰＣ）、ポリエチレンテレフタレート（ＰＥＴ）、ポリメチルメタクリレート（ＰＭＭＡ）、ポリ塩化ビニル（ＰＶＣ）等が挙げられる。
なお、保護シート１３に対して、光散乱性やデザインが付与されていてもよい。
【００３３】
第１スペーサー１４は、図２に示すように、採光フィルム１２の縁よりも外側であって一対の保護シート１３の間に配置され、保護シート１３Ａ，１３Ｂの間の距離を保持する役割を果たす。第１スペーサー１４は、図３に示すように、採光フィルム１２の外周全体を囲む矩形環状を呈している。
【００３４】
第１スペーサー１４は、例えば合成ゴムを基材とした発泡体等により構成されている。その他、第１スペーサー１４の材質としては、樹脂材料（アクリル、ポリカーボネイト等）、金属材料（アルミニウム、ステンレス等）、粘着材料等が挙げられる。
【００３５】
第１スペーサー１４の断面形状は、図２に示すような四角形の他、楕円（図５Ａ参照）、中空（図５Ｂ参照）、一面が開口した矩形環状（図５Ｃ参照）であってもよい。矩形環状の場合、開口を内側に向けることで採光フィルム１２の収納領域を広くすることができる。
【００３６】
また、第１スペーサー１４は、採光フィルム１２の外形よりも大きい形状を有していることが望ましい。これによって周囲の温度環境に伴い採光フィルム１２が膨張した際に、採光フィルム１２の端部が第１スペーサー１４に当たることで採光フィルム１２の面形状に歪みが生じるのを緩和できる。
【００３７】
図４に示すように、フレーム１５は、例えばアルミニウム製の枠体で構成され、内側に溝１５ｂを有している。この溝１５ｂ内に、第１保護シート１３Ａおよび第２保護シート１３Ｂの周縁部１３ａ，１３ｂと、採光フィルム１２の周縁部１２ａが挿入されて収容されている。このようにして、第１保護シート１３Ａ、第２保護シート１３Ｂおよび採光フィルム１２が互いに平行且つ平坦な状態で保持される。
【００３８】
フレーム１５の開口領域１５Ｒは、第１保護シート１３Ａ、第２保護シート１３Ｂおよび採光フィルム１２の平面視における各面積よりも小さい開口面積となっている。これにより、第１保護シート１３Ａおよび第２保護シート１３Ｂの周縁部１３ａ，１３ｂ、および採光フィルム１２の周縁部１２ａのそれぞれが、溝１５ｂに挿入された状態でフレーム１５により確実に保持される。
【００３９】
本実施形態の採光ユニット１０は、図４に示すように、採光フィルム１２の厚さをＬ１とし、第１保護シート１３Ａと第２保護シート１３Ｂとの間の距離をＬ２としたとき、これらの関係は、Ｌ２≧Ｌ１を満たす。すなわち、一対の保護シート１３Ａ，１３Ｂの間の距離Ｌ２は、採光フィルム１２の厚さＬ１と同じか、Ｌ１より長い距離である。
【００４０】
また、採光フィルム１２は、第１保護シート１３Ａ及び第２保護シート１３Ｂの少なくとも一方と離間して配置されている。または、採光フィルム１２は、第１保護シート１３Ａ及び第２保護シート１３Ｂに対して互いに移動可能に接触して配置されている。つまり、採光フィルム１２は、第１保護シート１３Ａ及び第２保護シート１３Ｂに対して固定されていない。すなわち、採光フィルム１２は、第１保護シート１３Ａ及び第２保護シート１３Ｂに対して移動可能に配置されている。
また、第１スペーサー１４の厚さをＬ３としたとき、採光フィルム１２の厚さＬ１との関係は、Ｌ３≧Ｌ１を満たし、第１スペーサー１４の厚さＬ３が採光フィルム１２の厚さＬ１と同じかそれよりも大きい。第１保護シート１３Ａと第２保護シート１３Ｂとの間の距離Ｌ２は、第１スペーサー１４の厚さＬ３に相当し、Ｌ２＝Ｌ３の関係とされている。
そのため、第１スペーサー１４の厚さによって、第１保護シート１３Ａと第２保護シート１３Ｂとの間の距離Ｌ２を規定することができる。保護シート１３Ａ，１３Ｂ間の距離Ｌ２が採光フィルム１２の厚さＬ１に対して大きすぎると、保護シート１３Ａ，１３Ｂが座屈してしまうため、保護シート１３Ａ，１３Ｂが座屈しすぎない程度に、これらの間のスペースを狭くする必要がある。
そのため、Ｌ２−Ｌ１の値の上限を考慮する必要がある。採光フィルム１２を自立させるためには上記上限値を５０ｍｍ以下が好ましく、より採光フィルム１２の平坦性を維持するためには上記上限値が１０ｍｍ以下とすることが望ましい。
【００４１】
図４では、第１保護シート１３Ａおよび第２保護シート１３Ｂが平坦な状態を維持しているが、場合によっては、第１保護シート１３Ａおよび第２保護シート１３Ｂが湾曲した状態となり、第１保護シート１３Ａと第２保護シート１３Ｂとの間の距離が場所によって異なる場合が考えられる。その場合、第１保護シート１３Ａと第２保護シート１３Ｂとの間の距離Ｌ２を、フレーム１５の開口領域１５Ｒ側の縁の位置における第１保護シート１３Ａと第２保護シート１３Ｂとの間の距離として規定する。
【００４２】
本実施形態では、第１スペーサー１４が少なくとも一方の保護シート１３の内面に接着されていてもよいし、第１スペーサー１４が弾性を有する材料からなる場合には第１保護シート１３Ａおよび第２保護シート１３Ｂとともにフレーム１５によって圧着支持されていてもよい。このとき、採光フィルム１２は、第１スペーサー１４によって保護シート１３Ａ，１３Ｂに圧着されることなく保持される。
【００４３】
採光ユニット１０は、図１および図２に示すように、一対の装着部１１により窓枠１０９の上部から吊り下げられた状態で室内に取り付けられる。各装着部１１は、採光ユニット１０を窓枠１０９に取り付けるための取付部材２１と、複数の取付ネジ２２と、を備えている。このようにして、採光ユニット１０が装着部１１を介して窓枠１０９に設置されている。採光ユニット１０は、図２に示すように、第１保護シート１３Ａ側が窓ガラス８に対向した状態で、窓ガラス８に対して平行な姿勢とされている。
【００４４】
本実施形態では、一対の保護シート１３Ａ，１３Ｂの間に採光フィルム１２を配置したことにより、両面に微細構造が賦形された採光フィルム１２の平坦性を保持しつつ採光フィルム１２に汚れや傷が付くのを防ぐことができる。
【００４５】
さらに、本実施形態では、一対の保護シート１３Ａ，１３Ｂの間の距離Ｌ２が、第１スペーサー１４によって、採光フィルム１２の厚さＬ１と同じか、Ｌ１よりも長い距離に維持されており、採光フィルム１２が、第１保護シート１３Ａ及び第２保護シート１３Ｂに対して固定されておらず、第１保護シート１３Ａ及び第２保護シート１３Ｂに対して移動可能に配置されている。
このように、採光フィルム１２は、第１保護シート１３Ａ及び第２保護シート１３Ｂに対して移動可能に配置されているため、採光フィルム１２が保護シート１３Ａ，１３Ｂの間で保護シート１３Ａ，１３Ｂからの圧力が加わることなく、自由に伸縮できる状態となっている。
そのため、周囲の熱環境の変化に応じて一対の保護シート１３Ａ，１３Ｂが熱収縮した場合でも、採光フィルム１２が保護シート１３Ａ，１３Ｂの形状変化に追従せず、採光フィルム１２と保護シート１３Ａ，１３Ｂとの間で採光フィルム１２の伸縮を制限するような摩擦が生じることもないため、採光フィルム１２をシワのない平坦な状態で長期的に維持することができる。
【００４６】
なお、第１スペーサー１４は、採光フィルム１２の厚さＬ１以上の厚さＬ３を有していれば、材質、形状等は特に制限はない。本実施形態では、第１スペーサー１４は、平面視矩形枠状を呈する形状とされているが、保護シート１３Ａ，１３Ｂの間の少なくとも一部に設けられていてもよい。
【００４７】
図６Ａ〜図６Ｃは、第１スペーサー１４の変形例を示す図である。
図６Ａに示すように、第１スペーサー１４は、保護シート１３の左右で対向する２つの辺に沿って配置されていてもよい。また、第１スペーサー１４は、保護シート１３の上下で対向する２つの辺に沿って配置されていてもよい。また、図６Ｂに示すように、第１スペーサー１４は、保護シート１３の４つの角部にＬ字状にそれぞれ配置されていてもよい。図６Ｃに示すように、複数の第１スペーサー１４は、保護シート１３の周縁部に沿って所定の間隔をあけて配置されていてもよい。
【００４８】
［第２実施形態］
次に、採光ユニット２０の第２実施形態の構成について説明する。
以下に示す本実施形態の採光ユニット２０の基本構成は、上記第１実施形態と略同様であるが、第１スペーサー２３がフレーム２５と一体の部材で構成されている。
図７は、第２実施形態の採光ユニット２０の構成を示す断面図である。図８は、第２実施形態の保護シート１３Ａ，１３Ｂの間の距離Ｌ２と各部材の寸法関係を説明するための図である。
【００４９】
本実施形態の採光ユニット２０は、図７に示すように、第１スペーサー２３を有するフレーム２５と、採光フィルム１２と、一対の保護シート１３Ａ，１３Ｂとを備えて構成されている。第１スペーサー２３によってフレーム２５に形成された溝２５Ａの内側が幅方向に２分割されており、一方の溝２５ａ内に第１保護シート１３Ａの周縁部１３ａが挿入され、他方の溝２５ｂ内に第２保護シート１３Ｂの周縁部１３ｂが挿入されている。一対の保護シート１３Ａ，１３Ｂは、第１スペーサー２３を介して対向配置されている。採光フィルム１２は、一対の保護シート１３Ａ，１３Ｂと第１スペーサー２３とで囲まれた領域内に配置され、その周縁部１２ａが保護シート１３Ａ，１３Ｂの周縁部１３ａ，１３ｂとともにフレーム２５に保持されている。なお、図７においては、第１実施形態で説明した複数の採光部３等を含む採光フィルム１２の詳細な構造の図示を省略する。
【００５０】
図８に示すように、第１スペーサー２３の厚さＬ３は、採光フィルム１２の厚さＬ１と同じか、それよりも大きい寸法を有していればよく（Ｌ３≧Ｌｌ）、これにより一対の保護シート１３Ａ，１３Ｂの間の距離Ｌ２がＬ２≧Ｌ１を満たす関係に保持される。
【００５１】
本実施形態の構成においても、フレーム２５の第１スペーサー２３によって、保護シート１３Ａ，１３Ｂどうしの間の距離Ｌ２が採光フィルム１２の厚さＬ１と同じかそれ以上の距離に維持されるため、先に述べた実施形態と同様の効果を得ることができる。さらに、本実施形態では、第１スペーサー２３がフレーム２５と一体の部材から構成されているため、部品点数が減って採光ユニット２０の組み立てが容易になるとともにコストを削減できる。
【００５２】
［第３実施形態］
次に、採光ユニット３０の第３実施形態の構成について説明する。
以下に示す本実施形態の採光ユニット３０の基本構成は、上記第１実施形態と略同様であるが、第１スペーサー３１が一方の保護シートと一体化されている。
図９は、第３実施形態の採光ユニット３０の構成を示す断面図である。図１０は、第３実施形態の保護シート３２Ａ，３２Ｂの間の距離Ｌ２と各部材の寸法関係を説明するための図である。
【００５３】
本実施形態の採光ユニット３０は、図９に示すように、一対の保護シート３２Ａ，３２Ｂと、採光フィルム１２と、フレーム１５と、を備えて構成されており、少なくとも一方の保護シートに凸状の第１スペーサー３１が設けられている。本実施形態では、第１保護シート３２Ａが平坦なシートであり、第２保護シート３２Ｂが第１スペーサー３１と一体の部材で構成されている。
【００５４】
図１０に示すように、第１スペーサー３１の厚さＬ３は、採光フィルム１２の厚さＬ１と同じか、Ｌ１よりも厚い厚さとする（Ｌ３≧Ｌ１）。これにより、一対の保護シート１３Ａ，１３Ｂの間の距離Ｌ２（Ｌ２＝Ｌ３）が、Ｌ２≧Ｌ１を満たす関係に保持される。
【００５５】
本実施形態では、第２保護シート３２Ｂが第１スペーサー３１と一体の部材から構成されているが、これに限らない。例えば、第１保護シート３２Ａが第１スペーサー３１と一体の部材から構成されていてもよいし、各保護シート３２Ａ，３２Ｂのそれぞれが第１スペーサー３１と一体の部材から構成されていてもよい。
【００５６】
第１保護シート３２Ａに第１スペーサー３１が設けられている場合は、その第１スペーサー３１の厚さＬ３が、採光フィルム１２の厚さＬ１と同じかそれを超える大きさであればよい（Ｌ３≧Ｌ１）。また、各保護シート３２Ａ，３２Ｂに第１スペーサー３１が設けられている場合は、各第１スペーサー３１Ａ，３１Ｂの各厚みを足し合せた厚さをＬ３とし、その厚さＬ３が採光フィルム１２の厚さＬ１と同じかそれを超える大きさであればよい（Ｌ３≧Ｌ１）。
【００５７】
本実施形態の構成においても、第２保護シート３２Ｂの第１スペーサー３１によって、保護シート３２Ａ，３２Ｂの間の距離Ｌ２が採光フィルム１２の厚さＬ１と同じか、Ｌ１よりも長い距離に維持されることとなり、先に述べた実施形態と同様の効果を得ることができる。本実施形態では、第１スペーサー３１が少なくとも一方の保護シート１３Ａと一体化された構成となっているため、第１スペーサー３１を別途用意する必要がない。よって、部品点数が減り、採光ユニット３０の組み立てが容易になるとともにコストを削減できる。
【００５８】
［第４実施形態］
次に、採光ユニット４０の第４実施形態の構成について述べる。
以下に示す本実施形態の採光ユニット４０の基本構成は、上記第１実施形態と略同様であるが、一対の保護シート４３Ａ，４３Ｂの周縁部分だけでなく、各保護シート４３Ａ，４３Ｂの中央部分にもスペーサーが設けられた構成となっている。
図１１は、第４実施形態の採光ユニット４０の構成を示す正面図である。図１２は、図１１のＢ−Ｂ’線に沿う断面図である。
【００５９】
図１１および図１２に示すように、本実施形態の採光ユニット４０は、上述した実施形態の構成よりも大判化したものであって、複数の単位フィルム４２Ａからなる採光フィルム４２と、一対の保護シート４３Ａ，４３Ｂと、第１スペーサー４３および第２スペーサー４４と、これらを保持するフレーム４５と、を備えて構成されている。
【００６０】
第１スペーサー４３は、矩形枠状を呈し、一対の保護シート４３Ａ，４３Ｂの周縁部４３ａ，４３ｂに沿ってこれらの間に配置されている。
第２スペーサー４４は、一対の保護シート４３Ａ，４３Ｂの間の略中央に配置され、水平方向に延在している。第２スペーサー４４の両側の端部は、第１スペーサー４３のうち鉛直方向に沿って延在する部分に接続されている。これにより、本実施形態の第１スペーサー４３と第２スペーサー４４とは、一体の部材となっているが、一体の部材でなくてもよい。第２スペーサー４４は、第１スペーサー４３の開口領域を略半分に区分している。区分された第１開口部４３ｃおよび第２開口部４３ｄ内のそれぞれに単位フィルム４２Ａおよび単位フィルム４２Ｂが配置されている。
【００６１】
採光フィルム４２は、光入射面１２Ａに沿った方向に並べて配置された２枚の単位フィルム４２Ａ，４２Ａからなる。各単位フィルム４２Ａは、保護シート４３Ａ，４３Ｂの半分以下の大きさを有し、周縁部４２ａのうち下辺あるいは上辺を除く３辺が、各保護シート４３Ａ，４３Ｂの周縁部４３ａ，４３ｂとともにフレーム４５に保持されている。
【００６２】
互いに隣り合う単位フィルム４２Ａ，４２Ａの間の間隙に上記第２スペーサー４４が存在し、大判の保護シート４３Ａ，４３Ｂの中央部分における互いの距離を保持している。
【００６３】
本実施形態の構成においても、先に述べた実施形態と同様の効果を得ることができる。本実施形態では、保護シート４３Ａ，４３Ｂの周縁部４３ａ，４３ｂどうしの間に第１スペーサー４３を設けただけでなく、保護シート４３Ａ，４３Ｂの長手方向の中央部分の間にも第２スペーサー４４を設けた構成としたことにより、採光ユニット４０が大判化した場合に保護シート４３Ａ，４３Ｂが撓んでしまうのを抑制することができる。また、本実施形態の採光フィルム４２は複数の単位フィルム４２Ａからなるため、各単位フィルム４２Ａの大きさを小さくすることができ、採光フィルム４２の平坦性を維持しやすい。
【００６４】
図２２は、第４実施形態の採光ユニットの変形例を示す正面図である。
上述した本実施形態では、縦長タイプの採光ユニット４０の構成について述べたが、図２２に示すように、横長タイプの採光ユニット４１としてもよい。この場合も、保護シート４３Ａ，４３Ｂの長手方向の中央部分の間に第２スペーサー４４を設けることが望ましい。このように、縦長および横長のいずれのタイプであっても、第２スペーサー４４を、保護シート４３Ａ，４３Ｂの長手方向に対して垂直に延在するように配置することで、採光ユニット４０を大判化した場合に、保護シート４３Ａ，４３Ｂの撓みを効果的に抑制することができる。
【００６５】
［第５実施形態］
次に、採光ユニット５０の第５実施形態の構成について述べる。
以下に示す本実施形態の採光ユニット５０の基本構成は、上記第１実施形態の構成と同様であるが、採光フィルム５２が保護シート５１Ａ，５１Ｂに連結された構成となっている。
図１３は、第５実施形態の採光ユニット５０の構成を示す平面図である。図１４は、図１３のＣ−Ｃ’線に沿う断面図である。図１５は、採光ユニット５０の要部を部分的に拡大した断面図である。
【００６６】
本実施形態の採光ユニット５０は、複数の孔５１ｃを有する一対の保護シート５１Ａ，５１Ｂと、複数の孔５２ａを有する採光フィルム５２と、採光フィルム５２の孔５２ａおよび一対の保護シート５１Ａ，５１Ｂの孔５１ｃに挿通される挿通部材（固定部材）５３と、一対の保護シート５１Ａ，５１Ｂの周縁部５１ａ，５１ｂの間に配置される第１スペーサー１４と、フレーム１５と、を備えて構成されている。
【００６７】
図１４に示すように、採光フィルム５２には、厚さ方向を貫通する孔５２ａが、周縁部５２ｂよりも面方向内側であってフレーム１５の開口領域１５Ｒに、例えば４つ（図１３参照）形成されている。また、一対の保護シート５１Ａ，５１Ｂにも、採光フィルム５２の各孔５２ａに面方向で一致する位置に、厚さ方向を貫通する孔５１ｃがそれぞれ形成されている。
【００６８】
挿通部材５３は、図１５に示すように、長さ方向の中央に位置するスペーサー部５３ａと、スペーサー部５３ａの両端に軸部５３ｂを介してそれぞれ設けられた拡径部５３ｃと、を有している。挿通部材５３は、両側に設けられた拡径部５３ｃ、５３ｃによって、一対の保護シート５１Ａ，５１Ｂのそれぞれに設けられた孔５１ｃおよび採光フィルム５２に設けられた孔５２ａからの脱落が防止される。
【００６９】
スペーサー部５３ａは、図１３に示すように、軸方向から見て例えば円形状とされている。スペーサー部５３ａとしては、例えばワッシャーなどが挙げられる。図１５に示すように、スペーサー部５３ａの厚さＬ３は、採光フィルム５２の厚さＬ１とおなじか、Ｌ１よりも大きい。また、スペーサー部５３ａの直径ｄ２を一対の保護シート５１Ａ，５１Ｂの孔５１ｃの直径ｄ１よりも大きくすることで、一対の保護シート５１Ａ，５１Ｂの間にスペーサー部５３ａが位置することになる。このスペーサー部５３ａが、一対の保護シート５１Ａ，５１Ｂの間の距離Ｌ２を採光フィルム５２の厚さＬ１以上（Ｌ３＝Ｌ２≧Ｌ１）に保持するスペーサーとして機能する。
【００７０】
ここで、採光フィルム５２の孔５２ａの直径ｄ３をスペーサー部５３ａの直径ｄ２よりも大きくしておくことにより、採光フィルム５２がスペーサー部５３ａに固定されるのを防ぐことができる。
【００７１】
本実施形態では、第１スペーサー１４と挿通部材５３のスペーサー部５３ａとの双方によって、保護シート５１Ａ，５１Ｂ間の距離Ｌ２を採光フィルム５２の厚さＬ１以上の寸法に保持することができる。このため、本実施形態においても先に述べた実施形態と同様の効果を得ることができる。一対の保護シート５１Ａ，５１Ｂの周縁部５１ａ，５１ｂどうしの間だけでなく、面方向内側にもスペーサーを兼ねた挿通部材５３を部分的に設けることによって、採光ユニット５０の全体において、保護シート５１Ａ，５１Ｂの間の距離Ｌ２を均一に維持することができる。本実施形態では４箇所に挿通部材５３を設けたが、採光ユニット５０の大きさによって、挿通部材５３の数、位置等を設定することが望ましい。
【００７２】
さらに本実施形態では、一対の保護シート５１Ａ，５１Ｂおよび採光フィルム５２のそれぞれに設けられた孔５１ｃ，５２ａに挿通部材５３が挿通された構成となっているため、一対の保護シート５１Ａ，５１Ｂに対して採光フィルム５２の位置が固定され、採光フィルム５２の大きな移動が抑制される。また、採光フィルム５２に設けられた孔５２ａは挿通部材５３のスペーサー部５３ａの直径よりも大きい寸法で形成されているため、採光フィルム５２が挿通部材５３に完全に固定されるわけではなく、採光フィルム５２が挿通部材５３に対して余裕を持たせた状態で支持される。これにより、周囲の温度環境に伴う熱収縮等によって採光フィルム５２にシワが生じるのを抑制できる。
【００７３】
［第６実施形態］
次に、採光ユニット６０の第６実施形態の構成について述べる。
以下に示す本実施形態の採光ユニット６０の基本構成は、上記第１実施形態と略同様であるが、一対の保護シート６１Ａ，６１Ｂと採光フィルム６２との間にスペーサー機能を兼ねた粘着材６３Ａ，６３Ｂを部分的に設けた構成となっている。
図１６は、第６実施形態の採光ユニット６０の構成を示す正面図である。図１７は、図１６のＤ−Ｄ’線に沿う断面図である。図１８は、採光ユニット６０の要部を部分的に拡大した断面図である。図１９は、粘着材６３Ａ，６３Ｂの作用を説明するための図である。
【００７４】
本実施形態の採光ユニット６０は、図１６及び図１７に示すように、一対の保護シート６１Ａ，６１Ｂと採光フィルム６２との間に、スペーサー機能を兼ねた粘着材６３Ａ，６３Ｂが部分的に設けられており、採光フィルム６２の表裏面が各保護シート６１Ａ，６１Ｂにそれぞれ固定された構成となっている。粘着材６３Ａ，６３Ｂは、採光フィルム６２の周縁部よりも面方向内側に配置されており、本実施形態では４か所に設けられている。
【００７５】
粘着材６３Ａ，６３Ｂは、少なくとも柔軟性を有していることが望ましい。粘着材６３Ａは、第１保護シート６１Ａと採光フィルム６２の光入射面６２Ａとを接着し、粘着材６３Ｂは、第２保護シート６１Ｂと採光フィルム６２の光射出面６２Ｂとを接着している。粘着材６３Ａ，６３Ｂの正面形状は、例えば円形状（図１６）であるが、これに限らない。また、採光フィルム６２の大きさに応じて、粘着材６３Ａ，６３Ｂの大きさや位置、数等を設定することが望ましい。また、本実施形態では、正面から見たときに粘着材６３Ａ，６３Ｂが互いに重なるように、採光フィルム６２を介して対向する位置に配置されているが、これに限らず、粘着材６３Ａ，６３Ｂが互いにずれて配置されていてもよい。
【００７６】
図１８に示すように、保護シート６１Ａ，６１Ｂの間の距離Ｌ２は、第１スペーサー１４だけでなく、粘着材６３Ａ，６３Ｂによっても保持され、採光フィルム６２の厚さＬ１と粘着材６３Ａの厚さＬ３と粘着材６３Ｂの厚さＬ３’を足し合わせた寸法に相当する。
【００７７】
本実施形態では、採光フィルム６２が粘着材６３Ａ，６３Ｂを介して各保護シート６１Ａ，６１Ｂに接着されているため、保護シート６１Ａ，６１Ｂに対して採光フィルム６２が各保護シート６１Ａ，６１Ｂに対して大きくずれることが抑制される。
【００７８】
一方、採光フィルム６２は、粘着材６３Ａ，６３Ｂが柔軟性を有することにより、各保護シート６１Ａ，６１Ｂに対して移動可能に保持される。例えば、保護シート６１Ａ，６１Ｂの熱収縮率が採光フィルム６２よりも大きい場合、周囲の温度が低下すると保護シート６１Ａ，６１Ｂに収縮が生じるが、その際、図１９に示すように、粘着材６３Ａ，６３Ｂが保護シート６１Ａ，６１Ｂの収縮に応じて変形することによって、採光フィルム６２の面方向の自由度を維持することができる。これにより、採光フィルム６２に歪が生じるのを抑制することができる。
【００７９】
上述した第５実施形態及び第６実施形態の採光ユニットの構成においても、縦長タイプの構成に限られず、横長タイプの構成としてもよい。この場合は、挿通部材５３あるいは粘着材６３Ａ，６３Ｂを各々の保護シートの長手方向の中央部分に配置することで、採光ユニットが大判化した場合に、各保護シートの撓みを効果的に抑制することができる。
【００８０】
［第７実施形態］
次に、採光ユニット７０の第７実施形態の構成について述べる。
以下に示す本実施形態の採光ユニット７０の基本構成は、上記第１実施形態と略同様であるが、採光フィルム７２の大きさが保護シート７１Ａ，７１Ｂに比べて一回りほど小さい。
図２０は、第６実施形態の採光ユニット７０の構成を示す断面図である。図２１は、採光ユニット７０の要部を示す部分拡大断面図である。
【００８１】
図２０に示すように、本実施形態の採光ユニット７０は、一対の保護シート７１Ａ，７１Ｂと、これら保護シート７１Ａ，７１Ｂよりも一回りほど小さい採光フィルム７２と、一対の保護シート７１Ａ，７１Ｂの周縁部７１ａ，７１ｂを支持するフレーム７３と、を備えて構成されている。
【００８２】
本実施形態では、採光フィルム７２の光入射面７２Ａの法線方向から見て、採光フィルム７２の縁７２ｂがフレーム７３の内周縁７３ｂよりも内側に位置している。そのため、フレーム７３には、各保護シート７１Ａ，７１Ｂの周縁部７１ａ，７１ｂのみが支持され、保護シート７１Ａ，７１Ｂよりも小さい採光フィルム７２の周縁部７２ａは支持されていない。そのためフレーム７３内においては、採光フィルム７２を介すことなく保護シート７１Ａ，７１Ｂの周縁部７１ａ，７１ｂどうしが互いに対向している。
【００８３】
図２１に示すように、第１保護シート７１Ａおよび第２保護シート７１Ｂの間の距離Ｌ２は、採光フィルム７２自体がスペーサーとなるため、採光フィルム７２の厚さＬ１と同じである（Ｌ２＝Ｌ１）。
【００８４】
本実施形態では、保護シート７１Ａ，７１Ｂよりも一回り小さい採光フィルム７２を、保護シート７１Ａ，７１Ｂの間の距離を保持するスペーサーとして機能させることによって、先に述べた実施形態と同様の効果を得ることができる。採光フィルム７２の大きさを変えてその周縁部７２ａがフレーム７３に支持されないようにするだけでよいため、スペーサーを別途用意する必要がない。よって、採光ユニット７０の部品点数が減り、コストを削減できる。
【００８５】
上述したいずれかの実施形態の採光ユニット１０，２０，３０，４０，５０，６０，７０を備えた採光装置１は、室内だけでなく、室外に設置することもできる。図２３〜図２５は、採光装置１の設置例を示す図である。例えば、図２３に示すように、店舗の軒先に設置して窓から店内に外光を採り込むようにしてもよい。また、図２４に示すように、家屋やマンション等のベランダの柵に設置して、ベランダ内に外光をより多く採り入れるようにしてもよい。さらに、図２５に示すように、建築物の外壁から張り出す採光庇として用いてもよい。例えば北向きの窓に対応する採光庇として設置することで、窓以外の方向に向けて進行する外光を屋内に取り入れることができる。
【００８６】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００８７】
さらに、上記実施形態では、パネル型の採光装置の例を挙げたが、例えばブラインド型、ロールスクリーン型等の採光装置であってもよい。
【００８８】
その他、採光装置の各構成要素の形状、数、配置、材料等に関する具体的な記載は、上記実施形態に限ることなく、適宜変更が可能である。
【００８９】
［採光システム］
図２６は、採光装置および照明調光システムを備えた部屋モデル２０００を示す図である。
部屋モデル２０００において、外光が導入される部屋２００３の天井２００３ａを構成する天井材は、高い光反射性を有していてもよい。図２６に示すように、部屋２００３の天井２００３ａには、光反射性を有する天井材として、光反射性天井材２００３Ａが設置されている。光反射性天井材２００３Ａは、窓２００２に設置された採光装置２０１０（上述したいずれかの実施形態の採光ユニットを備えた採光装置）からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【００９０】
光反射性天井材２００３Ａは、先に述べたように、採光装置２０１０（上述したいずれかの実施形態の採光装置）が設置された窓２００２を介して室内に導入された外光を室内の奥の方まで効率良く導く。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【００９１】
光反射性天井材２００３Ａは、拡散反射性であってもよいし、鏡面反射性であってもよい。室内の奥に置かれた机２００５の机上面２００５ａを明るくする効果と、室内に居る人とって不快なグレア光線を抑える効果と、を両立するために、両者の特性が適度にミックスされたものが好ましい。
【００９２】
このように、採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【００９３】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作製することができる。あるいは、エンボス加工によって形成される凹凸がもっと大きな周期の曲面で形成されていてもよい。
【００９４】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【００９５】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【００９６】
部屋２００３の窓２００２には、上部側に採光装置２０１０が設置され、下部側に日射調整装置２００８が設置されている。ここでは、日射調整装置２００８として、ブラインドが設置されているが、これに限らない。
【００９７】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【００９８】
室内照明装置２００７は、室内照明器具２００７ａと、明るさ検出部２００７ｂと、制御部２００７ｃと、を備え、室内照明器具２００７ａに明るさ検出部２００７ｂおよび制御部２００７ｃが一体化された構成を有する。
【００９９】
室内照明装置２００７は、室内照明器具２００７ａおよび明るさ検出部２００７ｂをそれぞれ複数ずつ備えていてもよい。ただし、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００７ｂによって、室内に置かれた机２００５の机上面２００５ａの照度を検出する。
【０１００】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１０１】
本実施形態の採光システムによれば、太陽光と共に変動する採光装置２０１０からの採光と、室内照明装置２００７とを連動させることで、時間や部屋２００３の位置に依らずに一定の照度を得ることができ、快適な環境と効率の良い省エネルギーを両立できる。
【産業上の利用可能性】
【０１０２】
本発明は、太陽光などの外光を室内に採り入れるための採光装置に利用が可能である。
【符号の説明】
【０１０３】
１，２０１０…採光装置、２ａ…第１面、２ｂ…第２面、１２，４２，５２，６２，７２…採光フィルム、１２ａ，１３ａ，１３ｂ，４２ａ，４３ａ，５１ａ，５２ｂ，７１ａ，７２ａ…周縁部、１３…保護シート、１３Ａ，３２Ａ，４３Ａ，５１Ａ，６１Ａ，７１Ａ…第１保護シート、１３Ｂ，３２Ｂ，４３Ｂ，５１Ｂ，６１Ｂ，７１Ｂ…第２保護シート、１４，２３，３１，３１Ａ，４３…第１スペーサー、１５，２５，４５，７３…フレーム、１５Ｒ…開口領域、４２Ａ…単位フィルム、４４…第２スペーサー、５１ｃ…保護シートの孔、５２ａ…採光シートの孔、５３…挿通部材（固定部材）、５３ａ…スペーサー部、５３ｃ…拡径部、６３Ａ，６３Ｂ…粘着材、７２ｂ…縁、７３ｂ…内周縁、Ｌ１…採光フィルムの厚さ、Ｌ３…スペーサーの厚さ、Ｌ３’…粘着材の厚さ、Ｌ２…第１保護シートおよび第２保護シートの間の距離
【図１】
2020017403.tif 000003
【図２】
2020017403.tif 000004
【図３】
2020017403.tif 000005
【図４】
2020017403.tif 000006
【図５Ａ】
2020017403.tif 000007
【図５Ｂ】
2020017403.tif 000008
【図５Ｃ】
2020017403.tif 000009
【図６Ａ】
2020017403.tif 000010
【図６Ｂ】
2020017403.tif 000011
【図６Ｃ】
2020017403.tif 000012
【図７】
2020017403.tif 000013
【図８】
2020017403.tif 000014
【図９】
2020017403.tif 000015
【図１０】
2020017403.tif 000016
【図１１】
2020017403.tif 000017
【図１２】
2020017403.tif 000018
【図１３】
2020017403.tif 000019
【図１４】
2020017403.tif 000020
【図１５】
2020017403.tif 000021
【図１６】
2020017403.tif 000022
【図１７】
2020017403.tif 000023
【図１８】
2020017403.tif 000024
【図１９】
2020017403.tif 000025
【図２０】
2020017403.tif 000026
【図２１】
2020017403.tif 000027
【図２２】
2020017403.tif 000028
【図２３】
2020017403.tif 000029
【図２４】
2020017403.tif 000030
【図２５】
2020017403.tif 000031
【図２６】
2020017403.tif 000032